(57)【要約】【課題】  従来、携帯移動端末の着信メロディは、提供者がサーバに用意した既存の曲をユーザが選択してもちいるしかなく、個性ある着信メロディを求めるユーザのニーズを十分に満足させるにはいたっていなかった。【解決手段】  携帯移動端末とネットワークを介して繋がるサーバにおいて、ユーザがソースファイルをサーバに登録し、その情報を基に自動作曲プログラムにより作曲されたユーザ固有の音楽を提供しうるＷｅｂサイトとして構成し、これをユーザに提供することで、ユーザは固有の着信メロディを得ることができ、さらにＷｅｂの機能を生かして、友人に送付したり、ソースファイルの種類を増やしてさまざまな着信メロディの変化を楽しむことが可能となった。【選択図】      図１
2005266725.tif 000002
【特許請求の範囲】
【請求項１】
インターネットに接続可能な携帯移動端末とネットワークを介して繋がり、自動作曲によりユーザ固有の音楽情報を提供するためのサーバであって、
ユーザが固有の音楽を得るためのソース情報をネットワークを介してサーバに登録するソース情報登録手段と、
ユーザが登録したソース情報を表示し、かつユーザから趣向情報の入力を可能とするユーザ固有のＷｅｂ画面を作成するユーザＷｅｂサイト作成手段と、
作成されたユーザＷｅｂサイトのアドレスをユーザに送信するユーザアドレス送信手段と、
ユーザがユーザＷｅｂサイトから入力した趣向情報を入力する趣向情報登録手段と、
登録されたソース情報を基に演算を行い、固有の音楽を発生する音楽情報作成手段と、
作成された音楽情報を携帯移動端末で演奏可能な着信メロディ情報に変換する音楽情報変換手段と、
変換された着信メロディ情報をリクエストに応じてダウンロード可能とするユーザＷｅｂサイト再作成手段と、
を有することを特徴とする音楽情報提供サーバ。
【請求項２】
ソース情報ファイルの特定部位から選定された情報を基に、コード進行データベース、リズムスタイルデータベース、メロディパターンデータベース、リズムパートデータベース、コードノートデータベースを参照し、音楽の性格付けを行う音楽情報作成手段を有する、請求項１に記載の音楽情報提供サーバ。
【発明の詳細な説明】
【技術分野】
【０００１】  本発明は、携帯移動端末に音楽情報を提供するサーバに関する。
【背景技術】
【０００２】  携帯移動端末の発展に伴い、その使い方がますます多様化してきている。特に着信時に流されるメロディはユーザの個性を表現する手段として広く認知されてきた。しかしながら、ユーザ固有の音楽を提供するには至らなかった。ユーザの好みの音楽と画像を結びつける手段としては、電子カメラを用いた手法なども提案されている。また、画像を音楽に変換する技術としては、各画素の持つ情報をそのまま音に変換する方法などがあるが、音楽のレベルとして充分とはいえなかった。
【特許文献１】  特開２００３−０１５６４１号報
【特許文献２】  特開２００１−３５０４７３号報
【発明の開示】
【発明が解決しようとする課題】
【０００３】  本発明は上記問題点に鑑み、ユーザが自分の個性を表現できる携帯移動端末の着信メロディに関し、ユーザから送信される情報によって変化しうる、ユーザ固有の着信メロディ情報を提供することを目的とした。
【課題を解決するための手段】
【０００４】  本発明は、着信メロディを提供するサーバに関し、ユーザから受信した情報を基に、ユーザ固有の音楽を提供することを特徴とする。これにより、従来はサーバ管理者が準備した既存の音楽をダウンロードして用いていたユーザが、固有の音楽を得ることができ、たとえば着信メロディなどに用いることができるようになった。また、コード進行データ、リズムスタイルデータ、メロディパターンデータ、コードノートデータ、ドラムパートデータなどの音楽構成要素を定義したことにより、音楽上の完成度が増し、さらに、音楽のジャンルや雰囲気を選択することが可能となった。【０００５】  図１は、本発明の構成例である。ユーザ１は携帯移動端末２を用いて、通常は、写真などに撮影して、ソース情報とする。ソース情報としては、画像情報の他、動画情報、音声情報などユーザ１が携帯移動端末２に取り込むことが可能なあらゆる情報が含まれる。こうして得られたソース情報をユーザ１は、ソース情報登録手段を用いてサーバ３に登録する。ソース情報登録手段としては特に制限しないが、サーバ３が提供するＷｅｂを通してｈｔｔｐで送信したり、電子メールの添付ファイルとしてサーバ３のメールアドレスに送信する方法が一般的である。また、このとき、情報の守秘性を高める目的で、ＳＳＬやＰＧＰといった暗号化手法をあわせて用いることもできる。【０００６】  サーバ３は、登録されたソース情報をデータベース４に蓄積するとともに、ユーザＷｅｂサイト作成手段を用いてＷｅｂ画面を作成する。ユーザＷｅｂサイト作成手段としては、ユーザが登録した情報を確認する目的で、たとえば写真情報や動画情報であればこれを静止画および動画として表示し、また音声情報であれば、音声としてこれを再生することで、ユーザ１がＷｅｂ上のユーザＷｅｂサイトを閲覧することで、ソース情報を確認することができるようにする。さらに、ユーザが趣向情報を入力しやすいように、ボタンによる選択画面やチェックボックスなども用意されるのが普通である。【０００７】  こうして準備されたユーザＷｅｂサイトは、ユーザアドレス送信手段を用いてユーザに送信される。ユーザアドレス送信手段としては、ユーザＷｅｂサイトのＵＲＬを記した電子メールをユーザ１の携帯移動端末２に送信することで行うのが一般的である。【０００８】  メールを受信したユーザ１は、ユーザアドレス送信手段を用いて送信された電子メールからユーザＷｅｂサイトのＵＲＬを選択することにより、ユーザＷｅｂサイトを閲覧することとなる。ここでユーザ１は、趣向情報登録手段を用いて、趣向情報を入力することとなる。趣向情報とは、ソース情報の確認、音楽ジャンルの選別の他、たとえば友人のメールアドレスなどを登録してＵＲＬを送信する機能など、Ｗｅｂサイトを通して登録することができる情報の全てを含むものである。【０００９】  サーバ３は、ユーザ１の趣向情報とデータベース４に格納されたソース情報を基に、音楽情報作成手段を用いて、音楽を生成する。音楽情報作成手段としては、特に定義するものでないが、通常ソース情報に一定の演算処理を行うことで、音楽情報に変換するのが普通である。このとき、ＭＩＤＩなど一般に普及したデータ形式を用いると、従来のさまざまな音楽データ体系を利用することができ、音楽情報としての完成度を確保するのに有益である。【００１０】  作成された音楽情報は、音楽情報変換手段を用いて、携帯移動端末で演奏可能な着信メロディ情報に変換される。音楽情報変換手段としては、特に定義しないが、通常携帯移動端末を運営している事業者が公開している変換プログラムを用いて、各運営者が定めているデータ形式に変換するのが一般的である。【００１１】  こうして変換された携帯移動端末で演奏可能な着信メロディ情報は、ユーザＷｅｂサイト再作成手段を用いて、ユーザＷｅｂサイトからダウンロード可能なＷｅｂサイトとして再作成される。ユーザＷｅｂサイト再作成手段としては、ユーザＷｅｂサイト作成手段で用いられる全ての手法が用いることができるが、さらにＩＤとパスワードなどでユーザＷｅｂサイトに階層をつけ、一般に公開できるＷｅｂサイトとユーザ専用のＷｅｂサイトから構成する、など複数の画面を組み合わせたＷｅｂサイトとして作成することも可能である。また、このとき、再作成された一連のＷｅｂ画面のトップには、ユーザアドレス送信手段を用いて既に送信されたＵＲＬを書き換えて用いるのが普通であるが、再作成されたＷｅｂ画面に新たなアドレスを付し、ユーザアドレス送信手段と同様の方法を用いて再度ユーザに送信してもよい。【００１２】  以上のステップを行うことで、ユーザ１は、自身の送信したソース情報から固有の着信メロディ情報を得ることが可能なユーザＷｅｂサイトを得ることができるようになる。
【発明の効果】
【００１３】  本発明によれば、ユーザが携帯移動端末に付随する機能、写真、動画撮影、録音などの機能を用いて記録したファイルを本発明のサーバに送信することで、それに関連したユーザ固有の着信メロディを配信しうるユーザのＷｅｂサイトを得ることが可能となる。
【発明を実施するための最良の形態】
【実施例】
【００１４】［ソース情報の登録］
ユーザは携帯移動端末に付随のカメラ機能を用いて写真を撮影し、これを本発明のサーバを示すメールアドレスに写真画像ファイルを送信する。図２は、携帯移動端末上に示された写真画像である。【００１５】［ユーザＷｅｂサイトの作成］
写真ファイルを受けたサーバは、送信されたファイルが画像ファイルであることを認識し、これをＷｅｂサイトとして構築する。図３は、こうして作成されたユーザＷｅｂサイトの一例を示している。【００１６】［趣向情報の登録］
ユーザＷｅｂサイトでユーザが送信したファイルに誤りがないことを確認するためのトップページの他、サーバはさらに趣向情報の入力を促す画面を作成し、ユーザはそれを選択して趣向情報を入力できるようにしておく。図４は、こうした趣向情報を促す画面の一例として、音楽ジャンルを選択する画面を示している。【００１７】［ユーザアドレスの送信］
サーバは、このように構成されたユーザＷｅｂサイトのトップページのＵＲＬを記した電子メールをユーザに送信する。【００１８】［趣向情報の入力］
ユーザは、届いた電子メールからそのＵＲＬをクリックすることにより、ユーザＷｅｂサイトのトップページを閲覧する。ここでソース情報の確認画面でＯＫボタンを押し、次の誘導された音楽ジャンルの選択によって、例えば「沖縄風」を選択する。【００１９】［音楽情報の作成］
音楽情報は、図２に記された画像情報および、趣向情報として得られた「沖縄風」といった情報を基に作曲されることになる。作曲作業はコード進行やリズムスタイルといった音楽のいくつかの構成要素はデータベースから選択するようにするようにし、音楽としての完成度を維持する。こうした手法を用いる場合、沖縄風やクリスマス風、といったアレンジが可能となり、ユーザの趣向情報を反映することが可能となる。【００２０】  作曲過程としては、まず着信メロディとして用いる１６小節分のコード進行データを決定する。画像ファイルの特定の部位から４バイト程度のバイナリデータを読み出し、これをデータベース４に格納してあるコード進行データベースと照らし合わせて、特定のコード進行データを選定する。コード進行データとは、ブルースや演歌といった特定の音楽ジャンルから典型的なコード進行を示したものである。次にリズムスタイルを決定する。コード進行データを選び出すのに用いなかった部位から、２バイト程度のバイナリデータを読み出し、リズムスタイルデータベースからリズムスタイルを選定する。リズムスタイルデータとは、ワルツや４ビートといった音楽のリズム上の特徴を示したものである。さらに、メロディパターンを決定する。コード進行データおよびリズムスタイルデータを選定するのに用いなかった部位から、８バイト程度のバイナリデータを読み出し、メロディパターンを選定する。メロディパターンとは、メロディー音のタイミングを示したものであり、音程を含まないものである。ここでメロディラインの生成を行う。このステップでは、ソース情報に固有のメロディを作成するため、データベースから選定する方式を用いない。たとえば、音程の高低をｆ（ｘ）、メロディパターンの要素をｘとして関数を定義し、コード進行データ、リズムスタイルデータ、メロディパターンデータ等の選定に用いなかった部位から、８〜１２バイト程度の部位をバイナリデータで読み出した上でこれらを数値に変換し、ｘを含む三角関数や対数などに含まれる定数として代入することで位相の異なる三角関数や底の異なる対数や指数関数などの各項を生成しておく。これらの線形和としてｆ（ｘ）を定義することによって、メロディの音程を作成することができる。図５は、音程−メロディパターンの関数を示したものである。正弦波の線形和はメロディの連続性を、対数や指数関数の項はメロディ全体の流れを表現している。次にメロディノートの作成を行う。このステップでは、コードとリズムスタイルの整合性やメロディラインにあったハーモニーパートの作成の制約条件などを蓄積したコードノートデータベースに照合して行う。こうして得られた固有の音楽に対して、未だ未使用の部位から１バイトのバイナリデータを用いてドラムパートを付加していく。ドラムパートデータベースから、リズムスタイルごとにドラムパターンが選定され、音楽情報として完成される。これらの処理はＭＩＤＩ形式で行っている。ＭＩＤＩ形式を用いるとコード進行やリズムパターンなどについて多くの音楽資産を用いることができ、レベルの高い音楽を作曲することができる。【００２１】［音楽情報の変換］
ＭＩＤＩで作成された音楽情報は、ＭＬＤなどの形式に変換され、ソース情報と関連付けデータベース５に格納される。変換方法はたとえばＭＬＤの形式を提唱している事業者などから提供されているものをそのまま用いている。【００２２】［ユーザＷｅｂサイトの再作成］
これまでのステップにより、サーバはソース情報の表示や着信メロディ情報をダウンロードなどの機能を有するユーザＷｅｂサイトを作成することになる。このＷｅｂサイトのトップページをユーザアドレス送信時に示したＵＲＬとし、その他サービスを付加していくことができる。図６は、ユーザＷｅｂサイトの構成図を示している。
【図面の簡単な説明】
【００２３】
【図１】  本発明を実施するための構成を示したものである。
【図２】  ユーザがソース情報として用いた携帯移動端末で撮った写真である。
【図３】  ソース情報をユーザＷｅｂサイトに組み込んで表示したものである。
【図４】  ユーザの趣向情報を入力するためのユーザＷｅｂサイトである。
【図５】  メロディを生成するための関数の一例をグラフで示したものである。
【図６】  ユーザＷｅｂサイトの画面構成を示したものである。
【符号の説明】
【００２４】１  ユーザ
２  携帯移動端末
３  サーバ
４  データベース
【図１】
2005266725.tif 000003
【図２】
2005266725.tif 000004
【図３】
2005266725.tif 000005
【図４】
2005266725.tif 000006
【図５】
2005266725.tif 000007
【図６】
2005266725.tif 000008